(57)【特許請求の範囲】
【請求項１】
車両に設けられたシート本体をスライド方向へスライド自在に支持するスライド機構において、
前記シート本体側に設けられ側方へ向けて延出する左右の延出片と、
該延出片の下面に対向して配置される下面対向部と、
該下面対向部と前記延出片との間に転動自在に配置されるコロと、
前記延出片の上面に対向して配置され前記下面対向部と共に前記延出片を挟み込む上面対向部と、
該上面対向部に設けられた前記スライド方向に延在する上部Ｖ溝及び前記延出片に設けられた前記スライド方向に延在する下部Ｖ溝の間に転動自在に配置されるボールと、
前記延出片及び前記上面対向部間に配置され前記ボールを保持するボール保持穴を有したボール保持面と、
前記延出片及び前記下面対向部間に配置され前記コロを前記スライド方向へ転動自在に保持するコロ保持穴を有したコロ保持面と、
を備え、
前記ボール保持面と前記コロ保持面とを前記延出片の先端に沿って折り返された折返し部で連設して一体化したことを特徴とするスライド機構。
【請求項２】
前記コロ保持穴の開口縁部に、前記コロの落下を防止するコロ支持部を設けたことを特徴とする請求項１記載のスライド機構。
【請求項３】
前記コロ保持面を前記延出片のＶ溝形状に沿って折り返した迂回形状としたことを特徴とする請求項１又は２記載のスライド機構。
【発明の詳細な説明】
【技術分野】
【０００１】
本発明は、車両に設けられたシートをスライド自在に支持するスライド機構に関する。
【背景技術】
【０００２】
従来、車両にはシートが設けられており、そのシート本体は、図３に示すように、スライド機構８０１を介して支持されている。
【０００３】
すなわち、シート本体の下部には、シートレッグ８１１が設けられており、該シートレッグ８１１の左側部及び右側部には、インナレール８１２が設けられている（右側部のみ図示）。各インナレール８１２の外側には、アウタレール８１３が配置されており、該アウタレール８１３は、フロア８１４に固定されている。
【０００４】
前記インナレール８１２と前記アウタレール８１３との対向面には、Ｖ字溝８２１，８２１が対向して設けられており、前記両レール８１２，８１３の対向面間には、図４にも示すように、複数のボール８２２，・・・を保持したリテーナ８２３が配置されている。
【０００５】
該リテーナ８２３で保持された各ボール８２２，・・・は、前記インナレール８１２のＶ字溝８２１と前記アウタレール８１３のＶ字溝８２１によって形成されて空間に配置されており、前記インナレール８１２を前記アウタレール８１３に対してスライドできるように構成されている。
【発明の開示】
【発明が解決しようとする課題】
【０００６】
しかしながら、このようなスライド機構８０１にあっては、Ｖ字溝８２１，８２１が設けられたインナレール８１２の対向面とアウタレール８１３の対向面とが垂直に起立した壁面で構成されている。
【０００７】
このため、前記両レール８１２，８１３のＶ字溝８２１，８２１内にボール８２２，・・・を配置する際に、当該ボール８２２，・・・が離脱し易く、取付作業に苦労を要した。
【０００８】
本発明は、このような従来の課題に鑑みてなされたものであり、組み付け時での作業性を高めることができるスライド機構を提供することを目的とするものである。
【課題を解決するための手段】
【０００９】
前記課題を解決するために本発明の請求項１のスライド機構にあっては、車両に設けられたシート本体をスライド方向へスライド自在に支持するスライド機構において、前記シート本体側に設けられ側方へ向けて延出する左右の延出片と、該延出片の下面に対向して配置される下面対向部と、該下面対向部と前記延出片との間に転動自在に配置されるコロと、前記延出片の上面に対向して配置され前記下面対向部と共に前記延出片を挟み込む上面対向部と、該上面対向部に設けられた前記スライド方向に延在する上部Ｖ溝及び前記延出片に設けられた前記スライド方向に延在する下部Ｖ溝の間に転動自在に配置されるボールと、前記延出片及び前記上面対向部間に配置され前記ボールを保持するボール保持穴を有したボール保持面と、前記延出片及び前記下面対向部間に配置され前記コロを前記スライド方向へ転動自在に保持するコロ保持穴を有したコロ保持面と、を備え、前記ボール保持面と前記コロ保持面とを前記延出片の先端に沿って折り返された折返し部で連設して一体化した。
【００１０】
すなわち、シート本体側に設けられた左右の延出片は、下面対向部と上面対向部とに挟持された状態で保持されており、前記延出片は、その下面がコロ保持面のコロ保持穴に保持されたコロを介して前記下面対向部にスライド自在に支持される。また、前記延出片は、その上面がボール保持面のボール保持穴に保持されたボールを介して前記上面対向部にスライド自在に支持される。
【００１１】
このとき、前記ボールは、前記上面対向部に設けられたスライド方向に延在する上部Ｖ溝と、前記延出片に設けられた前記スライド方向に延在する下部Ｖ溝との間に配置されており、その転動方向が前記スライド方向に制限される。また、前記コロを保持する前記コロ保持面は、折返し部を介して前記ボールを保持した前記ボール保持面に連設され一体化されている。
【００１２】
このため、前記コロを案内する為のガイド部を設けること無く、当該コロの転動方向は、前記スライド方向に規制される。
【００１３】
また、請求項２のスライド機構においては、前記コロ保持穴の開口縁部に、前記コロの落下を防止するコロ支持部を設けた。
【００１４】
すなわち、前記コロ保持面のコロ保持穴に保持された前記コロは、前記コロ支持部によって落下が防止される。
【００１５】
このため、前記コロ保持面にコロを保持した状態で、当該コロ保持面を前記延出片の下面側に配置するとともに、前記ボール保持面を前記延出片の上面側に配置することができる。
【００１６】
さらに、請求項３のスライド機構では、前記コロ保持面を前記延出片のＶ溝形状に沿って折り返した迂回形状とした。
【００１７】
これにより、抜け止めとして機能させることができる。
【発明の効果】
【００１８】
以上説明したように本発明の請求項１のスライド機構にあっては、シート本体側に設けられた左右の延出片を下面対向部と上面対向部とで挟持して保持した状態において、前記延出片の下面を、前記コロ保持面のコロ保持穴に保持されたコロを介して前記下面対向部にスライド自在に支持することができる。また、前記延出片の上面を、前記ボール保持面のボール保持穴に保持されたボールを介して前記上面対向部にスライド自在に支持することができる。
【００１９】
このように、上下に配設された前記下面対向部と前記延出片との間に前記コロを配置するとともに、上下に配設された前記延出片と前記上面対向部との間に前記ボールを配置することにより、スライド機構を構成することができる。
【００２０】
したがって、垂直に起立したインナレールの対向面と、垂直に起立したアウタレールの対向面との間に、ボールを配置しなければならなかった従来と比較して、前記ボールや前記コロの配置を容易に行うことができ、組み付け時での作業性を高めることができる。
【００２１】
このとき、前記ボールは、前記上面対向部に設けられたスライド方向に延在する上部Ｖ溝と、前記延出片に設けられた前記スライド方向に延在する下部Ｖ溝との間に配置されており、その転動方向を前記スライド方向に制限することができる。また、前記コロを保持する前記コロ保持面は、折返し部を介して前記ボールを保持した前記ボール保持面に連設され一体化されている。
【００２２】
このため、前記延出片及び前記下面対向部に前記コロを案内するガイド部を設けること無く、当該コロの転動方向を、前記スライド方向に制限することができる。
【００２３】
そして、前記コロを案内する為のガイド部が不要なため、例えば前記延出片及び前記下面対向部にスライド方向に延在するガイド部を設けた場合と比較して、左右に延設されるガイド部間の寸法管理が不要となる。これにより、構成の簡素化を図ることがきるとともに、低コスト化を図ることができる。
【００２４】
また、請求項２のスライド機構においては、前記コロ保持面のコロ保持穴に保持された前記コロは、前記コロ支持部によって落下が防止される。
【００２５】
このため、前記コロ保持面に前記コロを保持した状態で、当該コロ保持面を前記延出片の下面側に配置するとともに、前記ボール保持面を前記延出片の上面側に配置することができる。
【００２６】
そして、この状態では、前記コロが前記下面対向部と前記延出片との間に挟持されるため、後工程の作業性が向上する。
【００２７】
さらに、請求項３のスライド機構では、前記コロ保持面を前記延出片のＶ溝形状に沿って折り返した迂回形状としたため、抜け止めとして機能させることができる。
【発明を実施するための最良の形態】
【００２８】
以下、本発明の一実施の形態を図に従って説明する。図１は、本実施の形態にかかるスライド機構１を示す図であり、該スライド機構１は、車両に設けられたシート（図示省略）を前後方向であるスライド方向へスライド自在に支持する装置である。
【００２９】
すなわち、座席を形成するシート本体の下部には、シートレッグ１１が設けられており、該シートレッグ１１は、フロア側を構成するシートレッグロア１２と、シート本体側を構成するシートレッグアッパ１３とによって構成されている。
【００３０】
該シートレッグアッパ１３の左右側部には、側方へ向けて延出する延出片２１が設けられており（右方のみ図示）、該延出片２１には、シートレッグアッパ１３側部にて下方に垂下する垂下部２２と、該垂下部２２より側方へ向けて延出する延出部２３とが設けられている。該延出部２３は、前記シートレッグ１１に沿って前記スライド方向に延設されており、前記延出部２３の基端側には、水平に延在する水平部２４が設けられている。該水平部２４より先端側の上面２５には、Ｖ字状に没入した下部Ｖ溝２６が前記スライド方向全長に渡って形成されている。
【００３１】
前記シートレッグロア１２は、固定部材３１を介してフロアに固定されており、該固定部材３１の左右の側縁部は、前記延出片２１より側方へ延出するように構成されている。前記固定部材３１の左右の側部には、前記延出片２１の下面３２に対向して配置される下面対向部３３が形成されており、該下面対向部３３の端部には、上方へ起立した起立部３４が形成されている。該起立部３４の上縁には、側方に延出するフランジ部３５が形成されており、該フランジ部３５には、上方へ延出するスタッドボルト３６が設けられている。
【００３２】
前記フランジ部３５上には、固定ブラケット４１が設けられており、該固定ブラケット４１の基端部には、前記スタッドボルト３６が挿通している。該スタッドボルト３６には、ナット４２が螺着されており、前記固定ブラケット４１は、前記フランジ部３５に着脱可能に固定されている。
【００３３】
前記固定ブラケット４１には、前記シートレッグ１１側へ延出し前記延出片２１の前記延出部２３の上面２５に対向して配置される上面対向部５１が設けられており、該上面対向部５１と前記固定部材３１の前記下面対向部３３とによって前記延出片２１を上下から挟み込むように構成されている。前記上面対向部５１の下面には、上方へ向けてＶ字状に凹設された上部Ｖ溝５２が前記スライド方向に延設されており、該上部Ｖ溝５２は、前記延出片２１に設けられた前記下部Ｖ溝２６に対向して設けられている。
【００３４】
そして、前記延出片２１の先端部には、当該延出片２１の先端部を上下から挟持するようにリテーナ６１が取り付けられている。
【００３５】
このリテーナ６１には、図２にも示すように、複数のボール保持穴７１，・・・が設けられたボール保持面７２と、該ボール保持面７２の端部にて折り返された折返し部７３と、該折返し部７３より前記ボール保持面７２に沿って延在し複数のコロ保持穴７４，・・・が設けられたコロ保持面７５とが形成されており、前記ボール保持穴７１，・・・には、球体からなるボール７６，・・・が回転自在に保持されるように構成されている。前記コロ保持面７５と前記折返し部７３との間には、前記延出片２１に取り付けた状態で該延出片２１に形成された前記下部Ｖ溝２６の下面に沿って配置されるＶ字状の迂回部７７が設けられている（図１参照）。
【００３６】
これにより、前記迂回部７７を、当該リテーナ６１の抜け止めとして機能させることができる。
【００３７】
前記コロ保持穴７４，・・・の開口縁部には、円柱状のコロ８１，・・・が保持されるように構成されており、各コロ８１，・・・は、その転動方向が前記スライド方向と一致するように配置されている。また、前記コロ保持穴７４，・・・の開口縁部には、図２の（ｂ）にも示すように、内側へ向かうに従って下方に傾斜したコロ支持部８２，８２が対向した縁部に設けられており、前記コロ保持穴７４，・・・の保持された前記コロ８１，・・・の側面を支持することによって、当該コロ８１，・・・の落下を防止できるように構成されている。
【００３８】
これにより、前記リテーナ６１を前記延出片２１の先端部に取り付けた状態では、図１に示したように、前記ボール保持面７２が前記延出片２１の前記延出部２３と前記固定ブラケット４１の前記上面対向部５１との間に配置されるように構成されており、前記ボール保持面７２に保持されたボール７６，・・・が、前記延出片２１に設けられた前記下部Ｖ溝２６と前記固定ブラケット４１の前記上面対向部５１に設けられた上部Ｖ溝５２との間に転動自在に配置されるように構成されている。
【００３９】
また、前記折返し部７３は、前記延出片２１の先端部に沿って折り返すとともに、前記コロ保持面７５に保持された前記コロ８１，・・・は、前記延出片２１と前記固定部材３１の下面対向部３３との間に転動自在の配置されるように構成されている。
【００４０】
以上の構成にかかる本実施の形態において、シートレッグアッパ１３をシートレッグロア１２の固定部材３１に支持する際には、リテーナ６１のコロ保持面７５に設けられたコロ保持穴７４，・・・にコロ８１，・・・をセットする。この状態において、前記リテーナ６１を、前記シートレッグアッパ１３に設けられた延出片２１に取り付ける。
【００４１】
このとき、前記コロ保持穴７４の開口縁部には、コロ支持部８２，８２が設けられており、前記コロ８１，・・・は落下が防止される。このため、前記コロ保持面７５に前記コロ８１，・・・を保持した状態で、当該コロ保持面７５を前記延出片２１の下面側に配置するとともに、前記リテーナ６１のボール保持面７２を前記延出片２１の上面側に配置することができる。
【００４２】
また、この状態において、前記コロ８１，・・・を、前記固定部材３１の前記下面対向部３３と前記延出片２１との間に挟持することができる。これにより、後工程の作業性を向上することができる。
【００４３】
次に、前記延出片２１の上面２５側に配置されたボール保持面７２のボール保持穴７１，・・・にボール７６，・・・をセットした後、前記固定部材３１のフランジ部３５に固定ブラケット４１の基端部を固定する。
【００４４】
これにより、前記リテーナ６１に設けられた前記ボール７６，・・・を、前記固定部材４１に設けられた前記上部Ｖ溝５２と前記延出片２１に設けられた前記下部Ｖ溝２６との間に転動自在に保持することができる。
【００４５】
また、シート本体側のシートレッグアッパ１３に設けられた左右の延出片２１を前記固定部材３１の前記下面対向部３３と前記固定ブラケット４１の前記上面対向部５１とで挟持した状態において、前記延出片２１の下面３２を、前記リテーナ６１のコロ保持面７５に保持されたコロ８１，・・・を介して前記固定部材３１の前記下面対向部３３にスライド自在に支持することができる。また、前記延出片２１の上面２５を、前記リテーナ６１の前記ボール保持面７２に保持されたボール７６，・・・を介して、前記固定部材３１の前記上面対向部５１にスライド自在に支持することができる。
【００４６】
このように、上下に配設された前記下面対向部３３と前記延出片２１との間に前記コロ８１，・・・を配置するとともに、上下に配設された前記延出片２１と前記上面対向部５１との間に前記ボール７６，・・・を配置することにより、当該スライド機構１を構成することができる。
【００４７】
したがって、垂直に起立したインナレールの対向面と、垂直に起立したアウタレールの対向面との間に、ボールを配置しなければならなかった従来と比較して、前記ボール７６，・・・や前記コロ８１，・・・の配置を容易に行うことができ、組み付け時での作業性を高めることができる。
【００４８】
このとき、前記ボール７６，・・・は、前記上面対向部５１に設けられたスライド方向に延在する上部Ｖ溝５２と、前記延出片２１に設けられた前記スライド方向に延在する下部Ｖ溝２６との間に配置されており、その転動方向を前記スライド方向に制限することができる。また、前記コロ８１，・・・を保持する前記コロ保持面７５は、折返し部７３を介して前記ボール７６，・・・を保持した前記ボール保持面７２に連設され一体化されている。
【００４９】
このため、前記延出片２１及び前記下面対向部３３に前記コロ８１，・・・を案内する為のガイド部等を設けること無く、当該コロ８１，・・・の転動方向を、前記スライド方向に制限することができる。
【００５０】
そして、前記コロ８１，・・・を案内する為のガイド部等が不要なため、例えば前記延出片２１及び前記下面対向部３３にスライド方向に延在するガイド部を設けた場合と比較して、左右に延設されるガイド部間の寸法管理が不要となる。これにより、構成の簡素化を図ることがきるとともに、低コスト化を図ることができる。
【図面の簡単な説明】
【００５１】
【図１】本発明の一実施の形態を示す要部の拡大図である。
【図２】（ａ）は、同実施の形態のリテーナを示す分解斜視図であり、（ｂ）は、（ａ）の要部を示す断面図である。
【図３】従来のスライド機構を示す要部の拡大図である。
【図４】同従来例のリテーナを示す分解斜視図である。
【符号の説明】
【００５２】
１    スライド機構
２１    延出部
２５    上面
２６    下部Ｖ溝
３２    下面
３３    下面対向部
５１    上面対向部
５２    上部Ｖ溝
６１    リテーナ
７１    ボール保持穴
７２    ボール保持面
７３    折返し部
７４    コロ保持穴
７５    コロ
７６    ボール
８２    コロ支持部
【図１】
0004810269.tif 000002
【図２】
0004810269.tif 000003
【図３】
0004810269.tif 000004
【図４】
0004810269.tif 000005